(57)【要約】【課題】太刀魚用テンヤを、餌に喰いついた太刀魚に対する効果的な針掛かりと、針掛り状態の安定保持がなされ、コストの引き下げも実現可能なものにすることを課題としている。【解決手段】先端部を錘２に固定する釣り針３が、針先側３Ｎと前部側３Ｆとに分割されてその２者が回動可能に結合され、ワイヤー戻り規制ストッパ１０がワイヤー９の戻りを規制して針先側３Ｎの復帰方向回動を阻止した位置で針先側３Ｎが原位置に保持され、吊り紐７が引き延ばされたときに引き紐８がワイヤー９を引っ張って釣り針の針先側３Ｎを回動角規制ストッパ１２による回動規制を受けるところまで原位置から回動させるようにした。【選択図】図１
2019047762.tif 000002
【特許請求の範囲】
【請求項１】
錘（２）と、直線の胴（３ａ）を錘に取り付けて錘の後方に延び出させた釣り針（３）を有し、
前記釣り針（３）は、針先側（３Ｎ）と前記錘（２）に胴（３ａ）の先端が固定される前部側（３Ｆ）とに分割されて針先側（３Ｎ）が前部側（３Ｆ）に対して回動可能に結合され、その結合は、前記胴（３ａ）の長手方向に対して直角かつ水平なヒンジピン（５ｃ）を用いて行なわれており、
さらに、前記前部側（３Ｆ）の胴（３ａ）の上部外周に固定された餌を取り付ける止め針（６）と、テンヤが水平に吊り下がる荷重バランス点において前記錘（２）と道糸（２０）との間に介在される伸縮可能な弾性体の吊り紐（７）と、上端が前記吊り紐（７）の上端に繋がれた前記吊り紐の自由長よりも長さの長い引き紐（８）と、前記錘（２）に設けたガイド孔（２ａ）に通されて後端が前記胴（３ａ）よりも下側において釣り針の前記針先側（３Ｎ）に連結されたワイヤー（９）と、そのワイヤー（９）の前端に設けられたワイヤー戻り規制ストッパ（１０）と、前記釣り針の針先側（３Ｎ）を原位置に復帰させる針先側復帰用弾性体（１１）と、前記釣り針の針先側（３Ｎ）が前記ワイヤー（９）に引かれて回動して針先が上向きとなった位置で前記ワイヤー（９）の動きを規制する回動角規制ストッパ（１２）とを有し、
前記ワイヤー（９）の前端が前記引き紐（８）の下端につながれており、
前記ワイヤー戻り規制ストッパ（１０）が前記ワイヤー（９）の戻りを規制して前記釣り針の針先側（３Ｎ）の復帰方向回動を阻止した位置で前記針先側（３Ｎ）が原位置に保持され、
前記吊り紐（７）が引き延ばされたときに前記引き紐（８）が前記ワイヤー（９）を引っ張って前記釣り針の針先側（３Ｎ）が前記回動角規制ストッパ（１２）による回動規制を受けるところまで原位置から回動するように構成された太刀魚用テンヤ。
【請求項２】
前記釣り針（３）の前部側（３Ｆ）の胴（３ａ）の下部に固定されるガイドパイプ（１３）を有しており、そのガイドパイプ（１３）に前記ワイヤー（９）が通された請求項１に記載の太刀魚用テンヤ。
【請求項３】
前記釣り針（３）の針先側（３Ｎ）の腰曲げ部（３ｂ）の内側にワイヤー繋留部（１８）を有し、そのワイヤー繋留部（１８）に前記ワイヤー（９）の後端が繋がれている請求項１又は２に記載の太刀魚用テンヤ。
【発明の詳細な説明】
【技術分野】
【０００１】
この発明は、魚の針掛かりと、針の掛かり状態の保持性を良くする工夫を施し、製造コストも低減させた太刀魚用のテンヤに関する。
【背景技術】
【０００２】
太刀魚の船釣りでは、錘と釣り針を一体化した太刀魚用テンヤが使用されている。一般的な太刀魚用テンヤは、図５に示すように、錘２を先端に設け、その錘２の後方に釣り針３の胴（軸）３ａを延び出させ、胴の後端に、腰曲げ部３ｂと、先曲げ部３ｃと、返し３ｄを有する針先部３ｅを設け、さらに、胴３ａに上向きに立ち上がる止め針６を設けている。
【０００３】
また、先端の錘２に環４を取り付けており、その環４に、インターロックスナップ（図示せず）などを介してハリス（これも図示せず）を接続する構造になっている。
【０００４】
釣り針３の胴３ａには、鰯などの餌２２が取り付けられる。その餌２２は、胴３ａの上部に設けられた止め針６を図に示すように下から突き刺し、餌２２を針金１４（細いステンレス線や銅線など）で巻いて縛るなどしてその餌２２を胴３ａに固定する（下記特許文献１参照）。
【０００５】
そして、餌２２をつけ終えた太刀魚用テンヤ２１を船上から海中に投入し、目的の水深（タナ）まで沈める。目的の水深に到達した太刀魚用テンヤ２１は水平姿勢に吊り下がる。そのために、餌の魚は泳いでいるように見え、生きを好む太刀魚が喰いつく確率が高まる。
【０００６】
なお、錘２は、図５のような魚頭形状のものが多用されているが、魚頭形状でない太刀魚用テンヤも勿論存在する。
【０００７】
この太刀魚用テンヤについて、本出願人は、太刀魚の掛かりを良くするために、釣り針をガイドパイプに通してスライド可能に保持し、太刀魚が餌に喰いついたときに道糸をシャクリ上げる（引き上げる）ことで釣り針をスライドさせて針先を魚体に強制的に食い込ませるようにしたものを提案している（下記特許文献２参照）。
【先行技術文献】
【特許文献】
【０００８】
【特許文献１】特開２０１２−１６５７３２号公報
【特許文献２】特開２０１６−９３１０５号公報
【発明の概要】
【発明が解決しようとする課題】
【０００９】
太刀魚用テンヤは、目的の水深位置において水平姿勢を保つように投入される。そのテンヤに取り付けられた餌に対して、太刀魚は多くの場合、上向き姿勢になって下から喰いつく。
【００１０】
釣り人はその喰いつきによる釣竿の穂先の動きや釣竿を持った手に伝わる感触から魚が喰いついた状況（いわゆる当たり）を感知し、釣竿をシャクリ上げて（いわゆる合わせを行って）魚体に針を掛ける。
【００１１】
市販の一般的な太刀魚用テンヤは、釣竿のシャクリ上げにより先端側が持ち上げられて餌が太刀魚に喰いつかれている部位を支点にして回転し、返しのついた針先が太刀魚の頭部などに外側から突き刺さる。テンヤを用いた太刀魚釣りでは、このように、針先が魚の口中に刺さるのではなく頭部に外側から突き刺さって魚が針掛かりする。
【００１２】
市販の一般的な太刀魚用テンヤでの針掛かりは、上述したように、釣竿をシャクリ上げたときに太刀魚が餌に喰いついている部位を支点にして回転することによって起こるが、太刀魚による餌のくわえ方によってはその回転が確実になされない状況が起こる。
【００１３】
例えば、餌のくわえ方が強くて、合わせを行ったときに太刀魚がテンヤの回転方向に同時に首を振るような状況が起こると、太刀魚に対するテンヤの相対回転が不十分になり、針先の太刀魚への突き刺さりが不十分になる。
【００１４】
このために、釣り逃がす事態が発生し、釣果が期待するほどあがらないことがあった。
【００１５】
前記特許文献２のテンヤはその不具合を無くすために本出願人によって提案されたが、釣り針をスライド可能に保持する機構が複雑で製作もし辛く、製造コストが高くつく不具合があった。
【００１６】
また、釣り針が真っ直ぐにスライドして針先が魚体に突き刺さるものであったので、針掛り状態の保持も十分とは言えない面があった。
【００１７】
そこで、この発明は、太刀魚用テンヤについて、喰いついた太刀魚に対する針掛かりが効果的に起こり、さらに、針掛り状態の保持も安定してなされるようにして釣果を高められようにするとともに、コストの引き下げも実現可能となすことを課題としている。
【課題を解決するための手段】
【００１８】
上記の課題を解決するため、この発明においては、太刀魚用テンヤを以下の通りに構成した。
【００１９】
即ち、錘と、直線の胴を前記錘に取り付けて錘の後方に延び出させた釣り針を有し、
前記釣り針は、針先側と前記錘に胴の先端が固定される前部側とに分割されて針先側が前部側に対して回動可能に結合され、その結合は、前記胴の長手方向に対して直角かつ水平なヒンジピンを用いて行なわれており、
さらに、前記前部側の胴の上部外周に固定された餌を取り付ける止め針と、テンヤが水平に吊り下がる荷重バランス点において前記錘と道糸との間に介在される伸縮可能な弾性体の吊り紐と、上端が前記吊り紐の上端に繋がれた前記吊り紐の自由長よりも長さの長い引き紐と、前記錘に設けたガイド孔に通されて後端が前記胴よりも下側において釣り針の前記針先側に連結されたワイヤーと、そのワイヤーの前端に設けられたワイヤー戻り規制ストッパと、前記釣り針の針先側を原位置に復帰させる針先側復帰用弾性体と、前記釣り針の針先側が前記ワイヤーに引かれて回動して針先が上向きとなった位置でワイヤーの動きを規制する回動角規制ストッパとを有し、
前記ワイヤーの前端が前記引き紐の下端につながれており、
前記ワイヤー戻り規制ストッパが前記ワイヤーの戻りを規制して前記釣り針の針先側の復帰方向回動を阻止した位置で前記針先側が原位置に保持され、
前記吊り紐が引き延ばされたときに前記引き紐が前記ワイヤーを引っ張って前記釣り針の針先側が前記回動角規制ストッパによる回動規制を受けるところまで原位置から回動するように構成されたものにした。
【００２０】
釣り針は、先端が錘に固定される胴を直線的に延び出させ、その胴の後端に、腰曲げ部と、先曲げ部と、返しを有する針先部を設けたものであり、その釣り針の胴を針先側に偏った位置で切り離し、その切り離し部にヒンジ結合部を設けて針先側を前部側に回動可能に接続している。
【００２１】
この太刀魚用テンヤは、針先側復帰用の弾性体として、ゴム紐、コイルスプリング、つる巻きばねなどを利用することができる。
【００２２】
前記吊り紐は、熱可塑性ポリウレタンなどで形成されたゴム紐（クッションゴムと称されている製品）が好ましい。
【００２３】
また、前記ワイヤーは、釣り針の前部側の胴の下部に固定されるガイドパイプを設けてそのガイドパイプに通すと好ましい。
【００２４】
前記ワイヤーの後端は、釣り針の針先側の腰曲げ部の内側にワイヤー繋留部を設けてそのワイヤー繋留部に繋ぐとよい。ワイヤー繋留部は、リングなどでよい。
【００２５】
前記錘は、砲弾型、魚頭形状など任意の形状を採用できる。また、その錘の表面にアピール性を高める蓄光塗料の塗膜や光輝性のある疑似魚眼などを設けることもできる。
【発明の効果】
【００２６】
この発明のテンヤは、餌に対する太刀魚の喰いつき（当たり）を感知して釣竿をシャクリあげると、テンヤに太刀魚の重みが加わることから弾性体の吊り紐が引き伸ばされ、これにより、引き紐が引っ張られる。
【００２７】
そのために、その引き紐に繋いだワイヤーが引かれて釣り針の針先側が回動角規制ストッパによる回動規制を受けるところまで原位置から回動し、その回動の途中に針先が魚体に突き刺さる。針先側が回動することでその突き刺さりは確実になされる。
【００２８】
また、魚体に突き刺さった針先は、道糸を巻き取っている間は太刀魚の重みによる引き上げ抵抗が加わることから回動終点に保持され、これにより、針先の突き刺さり状態が解けることなく維持され、そのために、釣り逃がしが減って釣果が上がる。
【００２９】
この発明のテンヤは、一般的な太刀魚用テンヤの釣り針を２分割して分割体をヒンジ結合し、弾性体の吊り紐、釣り針の針先側を回動させる引き紐とワイヤー、回動した針先側を原位置に戻す針先側復帰用弾性体、針先側の回動角を規制する回動角規制用ストッパを追加したものと考えることができ、構造が比較的単純で、加工し難い部分も無い。そのために、製造コストも下がる。
【００３０】
なお、前記弾性体の吊り紐として釣り用のクッションゴムも用いたものは、吊り紐が太くならず、潮流の影響をより受け難いものになる。
【００３１】
また、ガイドパイプを設けてそのガイドパイプに前記ワイヤーを通したものは、ワイヤーが太刀魚に噛まれて動き難くなることがなく、ワイヤーの引き動かしがスムーズになされる。
【００３２】
このほか、釣り針の針先側の腰曲げ部の内側にワイヤー繋留部を設けてそのワイヤー繋留部に前記ワイヤーの後端を繋いだものは、ワイヤーの接続が簡単かつ確実に行なえる。
【図面の簡単な説明】
【００３３】
【図１】この発明の太刀魚用テンヤの一例を示す側面図である。
【図２】図１のテンヤに餌を取り付けた状態を示す側面図である。
【図３】針先側復帰用弾性体の他の例を示す要部の側面図である。
【図４】テンヤの釣り針が餌に喰いついた太刀魚に刺さった状態を示す側面図である。
【図５】従来品の太刀魚用テンヤの一例に餌を取り付けた状態を示す側面図である。
【発明を実施するための形態】
【００３４】
以下、この発明の太刀魚用テンヤの実施の形態を添付図面の図１〜図４に基づいて説明する。
【００３５】
図１の太刀魚用テンヤ１は、天秤型の錘２を先端に配し、その錘２に釣り針３を取り付けている。
【００３６】
例示のテンヤに採用した錘２は、所定重さの角錐状の天秤錘であるが、砲弾型や魚頭形状の錘であってもよく、さらに、表面に蓄光塗料の塗膜や光輝性のある疑似魚眼などを設けたものであってもよい。この錘２の上部の荷重バランス点（テンヤの前部側と針先側の重さが釣り合う位置）には、環４が取り付けられている。
【００３７】
釣り針３は、直線状をなす胴３ａの後端に腰曲げ部３ｂ、先曲げ部３ｃ、及び、返し３ｄのついた針先部３ｅを設けた針である。この釣り針３は、全体が針先側３Ｎと前部側３Ｆの２つに分割され、針先側３Ｎが前部側３Ｆに対して回動可能に結合されている。針先側３Ｎと前部側３Ｆの分割点は、胴３ａの長手途中の針先側３Ｎに偏った位置にある。
【００３８】
針先側３Ｎと前部側３Ｆの結合は、両者の切り離し部にヒンジ結合部５を設けて行なっている。ヒンジ結合部５は、針先側３Ｎの前端と前部側３Ｆの後端に、クレビス継手５ａとそのクレビス継手５ａの溝に入り込ませる軸受５ｂを対応させて設け、胴３ａの長手方向に対して直角かつ水平なヒンジピン５ｃを軸受５ｂに遊嵌し、そのヒンジピン５ｃの両端をクレビス継手５ａで固定支持した構造のものが設けられている。
【００３９】
なお、図示のヒンジ結合部５は、クレビス継手５ａが前部側３Ｆの後端に、軸受５ｂが針先部３Ｎの前端に、それぞれ配置されているが、そのクレビス継手５ａと軸受５ｂの位置関係は、図とは逆であってもよい。
【００４０】
図１の太刀魚用テンヤ１には、取り付け用の止め針６と、伸縮可能な弾性体の吊り紐７と、引き紐８と、ワイヤー９と、ワイヤー戻り規制ストッパ１０と、針先側復帰用弾性体１１と、回動角規制ストッパ１２と、ガイドパイプ１３と、針金１４が、さらに設けられている。
【００４１】
止め針６は、釣り針３の前部側３Ｆの胴３ａの上部外周に起立状態に固定されている。この止め針６は、最低１本あればよいが、餌の安定保持のために複数本設置するのがよい。
【００４２】
吊り紐７は、テンヤが水平に吊り下がる荷重バランス点において錘２に下端がインターロックスナップ１５などを用いて接続され、その錘２と道糸２０との間に介在される。この吊り紐７は、熱可塑性ポリウレタンで形成されたクッションゴムと称されているゴム紐が用いられている。吊り紐７の上端には、道糸２０を連結する連結具１６（図のそれはスイベル）が設けられている。
【００４３】
吊り紐７は釣り用のクッションゴムを用いたものが細くて潮流の影響を受け難くて好ましいが、ステンレスなどの耐食性材料からなるコイルスプリングなどでも引き紐８に弛みを生じさせてテンヤを吊り下げることが可能である。
【００４４】
この吊り紐７は、規定の長さ以上の伸び代を残した状態でテンヤを吊下げ位置に保持できる引っ張り強度を有するものが設けられている。餌付けしたテンヤを単純に吊下げたとき（魚の重が加わっていないとき）には、吊り紐７は殆ど伸びない。このときの伸びは、無視できる程度の僅かな長さとなる。
【００４５】
引き紐８は、テグスが用いられている。この引き紐８は、上端が吊り紐７の上端につながれており、下端はワイヤー９の前端に繋がれている。引き紐８の長さは、吊り紐７の自由長（無負荷時の長さ）よりも長く、吊り紐７によって餌付けしたテンヤを単純に吊下げた状態では、引き紐８は適度の弛みを生じた状態になっている。
【００４６】
ワイヤー９は金属の撚り線である。このワイヤー９は、錘２に設けたガイド孔２ａに通されて後端が胴３ａよりも下側において釣り針の針先側３Ｎに連結されている。そのワイヤー９の後端の針先側３Ｎに対する連結は、腰曲げ部３ｂの内側に、ワイヤー繋留部１８を設けて行なっている。ワイヤー繋留部１８は、図示したリングなどが好ましい。
【００４７】
ワイヤー戻り規制ストッパ１０は、ワイヤー９の前端に設けられており、釣り針の針先側３Ｎが原位置に復帰した位置でワイヤー９の戻り（針先側３Ｎ側への移動）を規制して針先側３Ｎの針先側復帰用弾性体１１の力による復帰方向回動を阻止する。これにより、ワイヤー９が引かれていないときには、針先側３Ｎが原位置に保持される。
【００４８】
針先側復帰用弾性体１１は、針先側３Ｎを、ワイヤー９で引いて回動させる方向とは反対向きに付勢しており、針先側３Ｎがワイヤー９に引かれて回動したときに反発力を強め、ワイヤー９を引っ張る力が開放されたときに針先側３Ｎを元の姿勢（原位置位）に復帰させる。
【００４９】
この針先側復帰用弾性体１１は、ゴム紐を例示したが、図３に示すようなコイルスプリングであってもよいし、ワイヤー９が引かれたときに巻き締められるつる巻きばね（図示せず）などであってもよい。
【００５０】
回動角規制ストッパ１２は、釣り針の針先側３Ｎの回動角を規制するものであって、ワイヤー９の長手途中に固定されている。その回動角規制ストッパ１２は、針先側３Ｎがワイヤー９に引かれて回動して針先が上向きとなった位置（図４の状態）で移動規制部（図のそれはガイドパイプ１３の端部）に突き当たり、これによりワイヤー９の動きが規制され、ワイヤー９が引かれている間は、針先側３Ｎの回動姿勢が保持される。
【００５１】
ガイドパイプ１３は、釣り針の前部側３Ｆの胴３ａの下部に固定されており、そのガイドパイプ１３にワイヤー９がスライド可能に通されている。このガイドパイプ１３があると、ワイヤー９が太刀魚に噛まれて動き難くなることがない。従って、ガイドパイプ１３は、好ましい要素であるが、必須ではない。
【００５２】
針金１４は、ステンレス鋼や銅、銅合金などで形成された細い線材であり、餌を釣り針に縛りつけるためのものである。この針金１４は、太刀魚用テンヤ１の購入者が追設することもできる。従って、出荷時の製品に含めることは必ずしも必要ではない。
【００５３】
図１の１７は、吊り紐７と引き紐８の２者を緩く通した中通し錘である。この中通し錘１７は、吊り紐７と引き紐８の絡み防止などに役立つが、好ましい要素に過ぎない。
【００５４】
以上の如く構成された太刀魚用テンヤ１は、連結具１６に釣竿のリール（図示せず）から繰り出された道糸２０を繋ぐ。
【００５５】
道糸２０に取り付けた太刀魚用テンヤ１は、餌を取付けて使用する。餌の取付けは、図２に示すように、止め針６を餌２２に下から突き刺し、針金１４を餌２２と釣り針の前部側３Ｆの胴３ａと一体のガイドパイプ１３とに巻きつけて餌２２を縛りつける。
【００５６】
餌２２は、鰯が多用されているが、鰯以外の魚やゴム製の疑似餌などを用いることも可能である。
【００５７】
餌２２を縛った針金１４は、巻き終わり側の端部を釣り針３の適当な箇所に巻きつけて固定する。
【００５８】
針金１４の巻きつけは、巻きつけ位置を途中でターンさせ、巻き始点側に戻されたその針金１４の終端を始端が固定された付近において胴３ａやガイドパイプ１３に巻きつけると餌の固定が安定して好ましい。
【００５９】
このときの餌２２の取付は、釣り針３の針先側３Ｎの回動が阻害されないように行う。そして、餌を付け終えたら、太刀魚用テンヤ１を海中に投入する。
【００６０】
投入された太刀魚用テンヤ１は、吊り紐７に吊下げられて目標点まで沈められ、ほぼ水平姿勢を保って目的の水深（タナ）位置に保持される。
【００６１】
その太刀魚用テンヤ１に取り付けた餌２２に図４のように太刀魚Ｃｆが喰いつき、釣り人が当たりを感じると合わせ（釣竿のシャクリあげ）がなされる。その合わせが行われると、吊り紐７が引き伸ばされて引き紐８が引っ張られ、引き紐８につながれたワイヤー９が引き動かされる。
【００６２】
これにより、釣り針３の針先側３Ｎが、図４に示すように、ヒンジピン５ｃを支点にして回動し、針先が餌２２に喰いついた太刀魚Ｃｆの頬などに高い確立で突き刺さる。
【００６３】
釣り針３の針先は、太刀魚Ｃｆに突き刺さった後、魚体に食い込んで魚の頭部側を釣り針の前部側３Ｆの胴３ａに沿わせたガイドパイプ１３（このパイプのないものは胴３ａ）との間に挟み込む。
【００６４】
道糸２０がリールに巻き戻されている間は、上記の挟み込み状態が維持され、そのために、針に掛かった太刀魚Ｃｆの外れが効果的に防止され、針掛り状態が安定して保持される。
【００６５】
なお、図示した太刀魚用テンヤ１は、特許文献２で提案しているものに比べて構造が簡素で作り易い。そのため、製造コストも低減される。
【００６６】
また、釣り針３の針先側３Ｎは、前部側３Ｆに単純にヒンジ結合されているだけであるので、釣れた太刀魚を外したときの針先側３Ｎの復帰も支障なく円滑になされる。
【符号の説明】
【００６７】
１，２１    太刀魚用テンヤ
２          錘
２ａ        ガイド孔
３          釣り針
３Ｎ        針先側
３Ｆ        前部側
３ａ        胴
３ｂ        腰曲げ部
３ｃ        先曲げ部
３ｄ        返し
３ｅ        針先部
４          環
５          ヒンジ結合部
５ａ        クレビス継手
５ｂ        軸受
５ｃ        ヒンジピン
６          止め針
７          吊り紐
８          引き紐
９          ワイヤー
１０        ワイヤー戻り規制ストッパ
１１        針先側復帰用弾性体
１２        回動角規制ストッパ
１３        ガイドパイプ
１４        針金
１５        インターロックスナップ
１６        連結具
１７        中通し錘
１８        ワイヤー繋留部
２０        道糸
２２        餌
Ｃｆ        太刀魚
【図１】
2019047762.tif 000003
【図２】
2019047762.tif 000004
【図３】
2019047762.tif 000005
【図４】
2019047762.tif 000006
【図５】
2019047762.tif 000007